【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
入力映像から所定の画像処理により特徴画像を抽出する特徴画像抽出手段と、
前記特徴画像抽出手段が抽出した前記特徴画像の前記入力映像上の領域である特徴領域の情報を特徴領域情報として蓄積する特徴領域情報保持手段と、
指定された表示画面上の表示座標系での位置を前記入力映像上の映像座標系の指定位置に変換して指定位置情報として出力する制御手段と、
過去の前記特徴領域情報の中から前記指定位置を含む前記特徴領域に対応する前記特徴領域情報を指定特徴領域情報として選択する処理対象領域決定手段と、
前記指定特徴領域情報の前記特徴領域の画像を指定領域画像として取得する領域画像取得手段と、
前記指定領域画像を前記入力映像の再生映像にオーバーレイ処理する出力処理手段と、を備え、
前記特徴画像抽出手段は、前記入力映像から特徴ブロックを検出する特徴ブロック検出手段と、検出された前記特徴ブロックのフレーム方向の変化および検出された前記特徴ブロックの周辺画素の変化のうち少なくとも一方の変化に基づいて検出対象とする前記特徴ブロックか否かを判断する誤検出除去手段とを有し、検出対象とすると判断した前記特徴ブロックから前記特徴画像を抽出することを特徴とする、画像再生装置。
【請求項２】
前記特徴領域情報は、特徴画像と前記特徴画像の境界を表す境界情報とを有し、
前記処理対象領域決定手段は、前記境界情報によって指定位置を含むことを判断し、
領域画像取得手段は、前記特徴領域情報の前記特徴画像を指定領域画像とすることを特徴とする、請求項１に記載の画像再生装置。
【請求項３】
前記入力映像の各フレーム画像を識別子と共に記憶する記憶手段をさらに備え、
前記特徴領域情報は、抽出元の前記フレーム画像の前記識別子を有し、
前記領域画像取得手段は、前記指定特徴領域情報の識別子に対応する前記記憶手段に記憶されたフレーム画像のうち前記境界情報が示す部分を前記指定領域画像として取得することを特徴とする、請求項２に記載の画像再生装置。
【請求項４】
前記誤検出除去手段は、前記フレーム画像の局所ヒストグラムをフレーム間で比較することにより、前記入力映像上に前記特徴画像が出現するタイミングと出現領域を検出し、前記出現領域以外で抽出される前記特徴画像を誤検出として除去することを特徴とする、請求項１〜３のいずれかに記載の画像再生装置。
【請求項５】
前記誤検出除去手段は、特徴領域として特定された領域のうち、エッジ強度の大きさが所定の基準を満たす画素あるいは画素ブロックが所定の方向に所定の閾値を超えて連続して並ぶ領域を誤検出として除去することを特徴とする、請求項１〜４のいずれかに記載の画像再生装置。
【請求項６】
前記特徴画像抽出手段は、前記特徴画像を検出する際に使用した特徴量を出力し、
前記特徴領域情報保持手段は、前記特徴量に基づいて前記特徴領域情報をグループ分けし、
前記処理対象領域決定手段は、前記指定位置情報と前記グループ分けされた前記特徴領域情報とに基づき、前記指定特徴領域情報を選択することを特徴とする、請求項１〜５のいずれかに記載の画像再生装置。
【請求項７】
前記特徴量は、前記特徴領域のエッジ出現位置、エッジ強度、所定の閾値よりも大きいエッジ強度を持つ画素数の画素ブロック毎の分布状態からなることを特徴とする、請求項６に記載の画像再生装置。
【請求項８】
前記特徴領域情報保持手段は、前記特徴領域情報を出現回数と共に蓄積し、出現回数に応じて前記グループ分けしたグループ毎に前記特徴領域情報の代表値を算出し、
前記処理対象領域決定手段は、過去の前記特徴領域情報の前記代表値の中から前記指定特徴領域情報を選択することを特徴とする、請求項６または７に記載の画像再生装置。
【請求項９】
前記特徴領域情報保持手段は、前記特徴領域情報を出現回数と共に蓄積し、
前記処理対象領域決定手段は、前記指定位置を含む前記特徴領域に対応する前記特徴領域情報を出現回数に応じて前記指定特徴領域情報として選択することを特徴とする、請求項１〜８のいずれかに記載の画像再生装置。
【請求項１０】
前記制御手段は、指定された表示動作の情報を出力し、
前記指定領域画像に対し前記表示動作の情報に基づいて画像加工処理を施す処理対象領域加工手段をさらに備えたことを特徴とする、請求項１〜７のいずれかに記載の画像再生装置。
【手続補正２】
【補正対象書類名】明細書
【補正対象項目名】０００９
【補正方法】変更
【補正の内容】
【０００９】
本発明の画像再生装置は、入力映像から所定の画像処理により特徴画像を抽出する特徴画像抽出手段と、特徴画像抽出手段が抽出した特徴画像の入力映像上の領域である特徴領域の情報を特徴領域情報として蓄積する特徴領域情報保持手段と、指定された表示画面上の表示座標系での位置を入力映像上の映像座標系の指定位置に変換して指定位置情報として出力する制御手段と、過去の特徴領域情報の中から指定位置を含む特徴領域に対応する特徴領域情報を指定特徴領域情報として選択する処理対象領域決定手段と、指定特徴領域情報の特徴領域の画像を指定領域画像として取得する領域画像取得手段と、指定領域画像を入力映像の再生映像にオーバーレイ処理する出力処理手段と、を備え、特徴画像抽出手段は、入力映像から特徴ブロックを検出する特徴ブロック検出手段と、検出された特徴ブロックのフレーム方向の変化および検出された特徴ブロックの周辺画素の変化のうち少なくとも一方の変化に基づいて検出対象とする特徴ブロックか否かを判断する誤検出除去手段とを有し、検出対象とすると判断した特徴ブロックから特徴画像を抽出する。
【手続補正３】
【補正対象書類名】明細書
【補正対象項目名】００１０
【補正方法】変更
【補正の内容】
【００１０】
本発明の画像再生装置は、入力映像から所定の画像処理により特徴画像を抽出する特徴画像抽出手段と、特徴画像抽出手段が抽出した特徴画像の入力映像上の領域である特徴領域の情報を特徴領域情報として蓄積する特徴領域情報保持手段と、指定された表示画面上の表示座標系での位置を入力映像上の映像座標系の指定位置に変換して指定位置情報として出力する制御手段と、過去の特徴領域情報の中から指定位置を含む特徴領域に対応する特徴領域情報を指定特徴領域情報として選択する処理対象領域決定手段と、指定特徴領域情報の特徴領域の画像を指定領域画像として取得する領域画像取得手段と、指定領域画像を入力映像の再生映像にオーバーレイ処理する出力処理手段と、を備え、特徴画像抽出手段は、入力映像から特徴ブロックを検出する特徴ブロック検出手段と、検出された特徴ブロックのフレーム方向の変化および検出された特徴ブロックの周辺画素の変化のうち少なくとも一方の変化に基づいて検出対象とする特徴ブロックか否かを判断する誤検出除去手段とを有し、検出対象とすると判断した特徴ブロックから特徴画像を抽出する。これにより、見逃した特徴画像を再び表示させることが可能になる。
【手続補正４】
【補正対象書類名】明細書
【補正対象項目名】００６５
【補正方法】変更
【補正の内容】
【００６５】
＜効果＞
実施の形態３に係る画像再生装置によれば、以下の効果を奏する。すなわち、実施の形態３の画像再生装置において、特徴画像抽出手段１００は、特徴画像を検出する際に使用した特徴量（検出判定情報）を出力し、特徴領域情報保持手段７は、特徴量に基づいて特徴領域情報をグループ分けし、処理対象領域決定手段８は、指定位置情報とグループ分けされた特徴領域情報とに基づき、指定特徴領域情報を選択する。このように、特徴領域情報保持手段７で特徴領域情報をグルーピングするような構成としたので、特徴領域情報の位置、大きさ、形状などを正確に算出することができる。また検出判定情報を使って特徴領域情報を登録できるような構成としたので、より細かく特徴画像を分類することができ、使用者の要求により正確に応えることが可能となる。
【手続補正５】
【補正対象書類名】明細書
【補正対象項目名】００７７
【補正方法】変更
【補正の内容】
【００７７】
指定位置情報にしたがって、処理対象領域決定手段８はどのフレームデータの特徴領域を使用するかを決定し、選ばれた特徴領域情報（指定特徴領域情報）を領域画像取得手段１３に出力し、領域画像取得手段１３では対応する領域画像をフレームメモリ２から読み出し、処理対象領域加工手段９へ出力する。処理対象領域加工手段９は制御情報に従って入力された領域画像に対して画像加工を行い、加工済の領域画像を出力処理手段１１へ出力する。
【手続補正６】
【補正対象書類名】明細書
【補正対象項目名】００７８
【補正方法】変更
【補正の内容】
【００７８】
また処理対象領域加工手段９で、オーバーレイする領域画像の周囲に額縁を付加することにより強調してもよい。この場合は、あらかじめ領域画像取得手段１３で領域画像を取得する際に、処理対象領域決定手段８で決定された特徴領域情報よりも上下左右に額縁の太さに相当する数画素程度のマージンを取ることで、特徴画像を欠けさせることなく額縁を付加することができる。